(57)【要約】【課題】キーボード内部光源によってキー記号表示を行う照明において、背景光線の反射強度を下げると共に、内部光線のキー側方からの漏洩を防止して表示効果を向上する。【解決手段】発光キーボード上のキーボードに被せる防幻キーボードキャップにおいて、底台１０３、薄片組部品１０２及び中空フレーム１０１から構成され、該底台は中央に透光エリアを備え、薄片組部品は半透明材料で構成されて該底台上方に設置され、更に、中空フレームは不透明材料で構成されて、該薄片組部品上に設置して、該底台との間に該薄片組部品を固定する。薄片部品はキー記号を表示する透光部を設けて、キーボード内部の光源により照明表示されると共に不透明材料からなる中空フレームにより外部への光の漏洩を防止する。【選択図】図４
0003167038.tif 000002
【実用新案登録請求の範囲】
【請求項１】
内部から照明する光源を備えた発光キーボード上のキーボードに被覆するキーボードキャップにおいて、
該キーボードキャップは、底台、キー記号を表示する薄片組部品、該薄片組部品を囲む枠体を構成する中空フレームとから構成され、
該底台は、透光エリアを設けて、背後に光源を配置したキーボード上に配置され、
該薄片組部品は、半透明材料により構成され、
該中空フレームは、不透明材料により構成されて薄片組部品上方に設置され、該底台と結合してその間に薄片組部品を固定したことを特徴とする防幻キーボードキャップ。
【請求項２】
前記中空フレームは、掛合もしくは接着もしくは溶接的方式で該底台と結合することを特徴とする請求項１記載の防幻キーボードキャップ。
【請求項３】
前記薄片組部品は、着色ガラス片、もしくは着色のアクリル片であることを特徴とする請求項１記載の防幻キーボードキャップ。
【請求項４】
前記薄片組部品表面のキー記号はプリントされたものであることを特徴とする請求項１記載の防幻キーボードキャップ。
【請求項５】
前記薄片組部品表面のキー記号は鏡像でプリントされたものであることを特徴とする請求項１記載の防幻キーボードキャップ。
【請求項６】
前記薄片組部品表面のキー記号は、透かし彫りされたものであることを特徴とする請求項１記載の防幻キーボードキャップ。
【請求項７】
前記底台表面のキー記号はプリントされたものであることを特徴とする請求項１記載の防幻キーボードキャップ。
【請求項８】
前記防幻キーボードキャップは、更に不透明薄片を備え、該該不透明薄片はプリントされたキー記号を表すことを特徴とする請求項１記載の防幻キーボードキャップ。
【請求項９】
前記防幻キーボードキャップは、更に不透明薄片を備え、該不透明薄片は透かし彫り方式で表したキー記号を備えることを特徴とする請求項１記載の防幻キーボードキャップ。
【請求項１０】
前記底台は底板を備えることを特徴とする請求項１記載の防幻キーボードキャップ。
【請求項１１】
前記底板の材質は、アクリル材であることを特徴とする請求項１０記載の防幻キーボードキャップ。
【請求項１２】
前記底板は、前述発光キーボードの鋏脚構造上に設置されたことを特徴とする請求項１１記載の防幻キーボードキャップ。
【請求項１３】
前記発光キーボードの光源はLEDであることを特徴とする請求項１２記載の防幻キーボードキャップ。
【考案の詳細な説明】
【技術分野】
【０００１】
本考案は、キーボードに関するもので、特に光源表示のキー記号に基づくキー構造に係わる。
【背景技術】
【０００２】
夜間もしくは周りが光源不足の時にキーボードを操作するのに便利なように、公知の技術にはLED光源でキー記号を表示する構造がある。また、光線をキー表面から透過して表示するため、キー本体にガラスもしくはアクリル等の透明材質を採用したものがある。
【先行技術文献】
【特許文献】
【０００３】
【特許文献１】特開昭６３−２００４２４号公報
【特許文献２】特開２０１０−１７０８２５号公報
【考案の概要】
【考案が解決しようとする課題】
【０００４】
解決しようとする問題点は、透明材質を使用したキー記号は、光源の光線が直接当たるグレア問題が発生し、視力障害を起こしやすい。且つ隣り合うキーは、互いに透過して出た光線によってキー記号の表示を干渉しあってしまう点である。前述の問題を改善するため、本考案では新規の防幻キー構造を提出する。
【課題を解決するための手段】
【０００５】
本考案は、発光キーボード上に設置するのに用いる。該キーボードキャップは、底台を備え、該底台は透光エリアを備える。薄片組部品は該底台上方に設置し、その材料は半透明の特性を備える。更に、中空フレームは該薄片組部品上方に設置して、その材料は不透明の特性を備え、そのうち該中空フレームは該底台と結合して該薄片組部品を固定するのに用いることを最も主要な特徴とする。
【考案の効果】
【０００６】
本考案の防幻キーボードキャップは、以下の利点がある。キーボード光線の直射強度を下げて防幻したキー記号表示を提供する。背景光線の反射強度を下げてクリアーなキー記号表示を提供する。また、光線がキー表示表面の四方に漏洩して分散するのを防止して隣り合うキー記号を干渉しあうのを防止する。
【図面の簡単な説明】
【０００７】
【図１】本考案の防幻キーボードキャップを採用した発光キーボード立体外観図である。
【図２】本考案の防幻キーボードキャップを含むキー構造の立体分解図である。
【図３】本考案の防幻キーボードキャップの実施例を含むキー構造断面図である。
【図４】本考案の防幻キーボードキャップの実施例の立体分解図である。
【図５】本考案の防幻キーボードキャップの立体外観図である。
【図６】本考案の防幻キーボードキャップの別の実施例の立体分解図である。
【図７】本考案の防幻キーボードキャップの別の実施例の断面図である。
【図８】本考案の防幻キーボードキャップでキーボードの光源表示に基づきキー記号が表示された指示図である。
【考案を実施するための形態】
【０００８】
透明キー本体によって表示した発光キー記号が発するグレア問題を解決する防幻キー構造を提供することを本考案の目的とする。
【０００９】
透明キー本体によって表示した発光キー記号が発する光線がキー本体に分散して、隣り合うキー記号を干渉する問題を解決する防幻キー構造を提供する事を本考案の別の目的とする。
【００１０】
上述の目的を達成するため、防幻キーボードキャップは、発光キーボード上に設置し、該キーボードキャップは、底台、薄片組部品、及び中空フレームを備える。
【００１１】
該底台は、該中空フレームと結合して該薄片組部品を固定するのに用い、且つ該底台は底板を備え、鋏脚構造と組み合わせる。他に、該底板は透光エリアを備え、前述の発光キーボードが光源を提供すると、キー記号を照明する光線は該薄片組部品を通して透かし出す。
【００１２】
該薄片組部品は、該底台上方に設置し、その材料は半透明の特性を備える。
【００１３】
該中空フレームは、該薄片組部品上方に設置し、且つその材料は不透明の特性を備える。
【００１４】
本考案の構造、特徴及びその目的を更に理解するため、図式及び良好な具体実施例を挙げて下述する。
【実施例１】
【００１５】
本考案の防幻キーボードキャップは、発光キーボード上に設置して用いる。図１に示すのは、本考案の防幻キーボードキャップ１００を採用した発光キーボード２００の立体外観図である。本考案の防幻キーボードキャップ１００と発光キーボード２００の関係は、図２に示すとおりで、本考案の防幻キーボードキャップを含むキー構造の立体分解図である。図２に示すとおり、該キー構造は防幻キーボードキャップ１００、鋏脚構造１１０、弾性体１１０a、及び一キーボード本体１２０を備える。
【００１６】
防幻キーボードキャップ１００は、中空フレーム１０１、薄片組部品１０２、及び底台１０３を備え、そのうち中空フレーム１０１は掛合、接着もしくは溶接の方式で底台１０３と結合して固定薄片組部品１０２を固定する。
【００１７】
中空フレーム１０１は、方形で且つ不透明材であるため、光線が四方に漏れるのを防止し、隣り合うキー記号に対する干渉防止を達成する。
【００１８】
薄片組部品１０２の材質は、半透明の特性を備え、例として着色した薄片(限定しない)で、その材料はガラスもしくはアクリルが良い。またその色は、中空フレーム１０１に近い深色系色(限定しない)が良く、且つその実施例の薄片組部品１０２の表面にはキー記号Ｙを設けし、該表面のその他エリアと相対して比較的高い透光性とする。薄片組部品１０２は半透明の特性を備えているため、キーボード光線の直射強度を下げて防幻効果を提供する。また、薄片組部品１０２の色は深色系色であるため、発光キーボード２００(図１参照)に光源がない場合、キーボード上のキー記号を隠し、発光キーボード２００に光源がある場合、薄片組部品１０２表面からクリアーなキー記号光線を透かし出し、使用者に特別な視覚効果を提供する。更に、薄片組部品１０２もまた周囲環境の光源の反射強度を下げる特性を備えるため、キー記号の光線強度を周囲環境光源反射強度に相対して比較値を向上させ、キー記号のクリアー度を向上させる。
【００１９】
底台１０３は底板を備え、且つ該底板は透光エリア(例として、アクリルの透明材質で構成された物が良い)を備え、発光キーボード２００が光源を表示した時、該キー記号を代表する光線を薄片組部品１０２から透かし出す。
【００２０】
他に、防幻キーボードキャップ１００のキー記号は、プリントもしくはレーザー彫刻の方法で形成し、且つ薄片組部品１０２上に形成することに限定せず、底台１０３上に形成してもよく、もしくは別の不透明薄片上(図２に未提示)で形成してもよい。例として黒い紙片に反転表示もしくは透かし彫り方法でキー記号を表し、そのうち該不透明薄片は薄片組部品１０２と底台１０３の間に置く。注意しなければならないのは、プリント方式で下表面、一例として薄片組部品１０２の下表面で実施した時、該キー記号の鏡像でプリント記号にしなければならない。
【００２１】
防幻キーボードキャップ１００下方の鋏脚構造１１０は、枢設軸１１３３、一対の滑動軸１１３４、一対の第一滑動案内部１１３５、及び一対の第二滑動案内部１１３６を備え、そのうち枢設軸１１３３及び前述の滑動軸１１３４は、底台１０３の底板と結合され、第一滑動案内部１１３５及び第二滑動案内部１１３６は鋏脚構造１１０とキーボード本体１２０に結合される。他に、鋏脚構造１１０の中間エリアには円形通孔を備える。
【００２２】
弾性体１１０aの底部は、キーボード本体１２０と貼り合わされ、その最上部は該円形通孔を経て貫通する。
【００２３】
キーボード本体１２０は、一対の第一承接部１２３５及び一対の第二承接部１２３６を備え、それぞれ前述の第一滑動案内部１１３５及び第二滑動案内部１１３６と可動式に嵌合する。
【００２４】
図３に示すのは、本考案の防幻キーボードキャップの実施例となるキー構造的断面図である。該断面図に於いて、中空フレーム１０１は凸柱１０１１及び凸縁１０１２で、底台１０３の嵌合溝１０３１及び定位溝１０３２にそれぞれ嵌合し、薄片組部品１０２を固定して嵌合する。底台１０３は、枢設部１０３３で鋏脚構造１１０の枢設軸１１３３と可動式嵌合し、及び嵌合部１０３４で鋏脚構造１１０の滑動軸１１３４と滑動式嵌合する。鋏脚構造１１０は、第一滑動案内部１１３５及び第二滑動案内部１１３６でキーボード本体１２０の第一承接部１２３５及び第二承接部１２３６に、それぞれ可動式嵌合し、弾性体１１０aは鋏脚構造１１０によってその中央エリアに制限される。
【００２５】
図４に示すのは、本考案の防幻キーボードキャップの一実施例の立体分解図である。図４に示すとおり、中空フレーム１０１は３個の凸柱１０１１及び凸縁１０１２を備え、薄片組部品１０２はキー記号を設置し、底台１０３は３個の嵌合溝１０３１及び定位溝１０３２を備えて、それに対応する。他に、図４の中空フレーム１０１、薄片組部品１０２、及び底台１０３を組み合わせたキーボードキャップ立体外観図が図５に示したものである。
【実施例２】
【００２６】
図６に示すのは、本考案の防幻キーボードキャップの別の実施例の立体分解図である。図６に示すとおり、該防幻キーボードキャップは中空フレーム１０１、薄片組部品１０２、不透明薄片１０２a、及び底台１０３を備える。中空フレーム１０１は、３個の凸柱１０１１及び凸縁１０１２を備える。薄片組部品１０２は、中空フレーム１０１下方に位置し、不透明薄片１０２aは紙片（但しそれに限らない）が良く、薄片組部品１０２下方に位置し、且つそこにキー記号を設ける。また底台１０３は、不透明薄片１０２a下方に位置し、且つそこには３個の嵌合溝１０３１及び定位溝１０３２を備える。３個の凸柱１０１１及び凸縁１０１２は３個嵌合溝１０３１及び定位溝１０３２にそれぞれ嵌合して防幻キーボードキャップを組み立てる。その断面図を図７に示す。図７に示すとおり、該防幻キーボードキャップの構成は、上から下にかけて順に中空フレーム１０１、薄片組部品１０２、不透明薄片１０２a、及び底台１０３とする。
【００２７】
発光キーボード２００が提供する表示光源はLED光源（但しそれに限らない）とする時、本考案の防幻キーボードキャップの薄片組部品１０２の表面はキー記号をクリアーに表示し、中空フレーム１０１は、光線が四方に漏れて分散するのを防止し、隣り合うキー記号と干渉するのを防ぐ。図８に示すとおり、発光キーボード２００が光源を提供すると、本考案が実施する防幻キーボードキャップはキー記号Ｙを表示する。
【００２８】
上述のとおり、本考案の防幻キーボードキャップは、キー光線の直射強度を下げ、周囲環境の光源反射強度を減衰する事によって、良好な視覚効果でキー記号を表示する。また、光線が四方に漏れて分散するのを防止して、隣り合うキーのキー記号表示と干渉するのを防止する。
【００２９】
本考案の提示した実施例は実施可能な例であり、当該領域に習熟した者が本考案の技術的思想を基に、局部の変更もしく修飾を行うこともあるかもしれないが、それは本考案の請求範囲に含まれるものとする。例を挙げると、中空フレームの形状変更、もしくは中空フレームと底台の結合方式の変更，もしくはフレームを薄片組部品と異なる顏の変更，もしくはキー記号の実施方式の変更等がある。
【００３０】
上述のとおり、本考案は目的、手段及び効果だけでなく、公知技術の特徴と異なっており、実用的な創作と言え、実用新案登録の要件に符合する。
【符号の説明】
【００３１】
１００        キーボードキャップ
１０１        中空フレーム
１０１１        凸柱
１０１２        凸縁
１０２        薄片組部品
１０２ａ      不透明薄片
１０３        底台
１０３１        嵌合溝
１０３２        定位溝
１０３３        枢設部
１０３４        嵌合部
１１０        鋏脚構造
１１０ａ      弾性体
１１３３        枢設軸
１１３４        滑動軸
１１３５        第一滑動案内部
１１３６        第二滑動案内部
１２０        キーボード本体
１２３５        第一承接部
１２３６        第二承接部
２００        発光キーボード
【図１】
0003167038.tif 000003
【図２】
0003167038.tif 000004
【図３】
0003167038.tif 000005
【図４】
0003167038.tif 000006
【図５】
0003167038.tif 000007
【図６】
0003167038.tif 000008
【図７】
0003167038.tif 000009
【図８】
0003167038.tif 000010